(57)【要約】      （修正有）【課題】ぬいぐるみ本来の愛嬌や手触りの柔らかさを維持した状態で、顔面および髪を交換できるぬいぐるみを提供する。【解決手段】本考案のぬいぐるみは、顔を交換することができるぬいぐるみであって、布で形成された頭部２、胴体部７、腕部７ａおよび脚部７ｂを備え、顔面の構成が不特定である素体１と、布で形成され、素体１の頭部２に着脱自在に設けられた顔パーツと、顔パーツの頭頂部側の端部に連結された髪パーツと、を備える。また、髪パーツは、シート状に形成されており、切り取り加工が可能である。【選択図】図３Ａ
0003218306.tif 000002
【実用新案登録請求の範囲】
【請求項１】
顔を交換することができるぬいぐるみであって、
布で形成された頭部、胴体部、腕部および脚部を備え、顔面の構成が不特定である素体と、
布で形成され、前記素体の頭部に着脱自在に設けられた顔パーツと、
前記顔パーツの頭頂部側の端部に連結された髪パーツと、を備えることを特徴とするぬいぐるみ。
【請求項２】
前記髪パーツは、シート状に形成されており、切り取り加工が可能であることを特徴とする請求項１記載のぬいぐるみ。
【請求項３】
前記素体の全部または一部に着用する被服をさらに備えることを特徴とする請求項１または請求項２記載のぬいぐるみ。
【請求項４】
請求項１から請求項３のいずれかに記載のぬいぐるみに適用され、布製であって、前記素体の頭部に着脱可能であることを特徴とする顔パーツ。
【請求項５】
請求項１から請求項３のいずれかに記載のぬいぐるみに適用され、前記顔パーツに連結されることを特徴とする髪パーツ。
【考案の詳細な説明】
【技術分野】
【０００１】
本考案は、顔を交換することができるぬいぐるみに関する。
【背景技術】
【０００２】
従来から、顔面を交換することができるように構成された人形が知られている。例えば、特許文献１および特許文献２には、顔画像を形成したお面部材を、立体人形の顔部分に脱着可能にした顔面変換型立体人形が記載されている。この顔面変換型立体人形は、顔画像が形成されたお面部材と、顔部分を備えた立体人形とを備えている。そして、立体人形の顔部分に対し、磁気吸着力でお面部材を脱着可能とし、凹部の係合機構等の装着手段を備えている。お面部材は、表面に顔画像を形成した略半球殻状の合成樹脂製のフィルム成形体で形成され、または、このフィルム成形体を顔基板部に密着固定させて形成される。
【０００３】
また、特許文献２には、複数種類のキャラクターや人物の人形玩具の製造に際し、ほとんどの部位について共通パーツを用いることによってコストダウンを図り、さらに、頭部の美観・リアル性の低下が抑制された人形玩具が開示されている。この人形玩具は、特定のキャラクター・人物を模した人形玩具の頭部を構成する複数パーツの一部を交換可能とした人形玩具において、頭部構造が、胴部に直接または首部を介して間接的にかつ着脱可能に取り付けられる。さらに、キャラクター・人物に対応した固有の外形形状を有する顔体部と、その顔体部に着脱可能に取り付けられ、キャラクター・人物に対応した固有の外形形状を有する頭髪部とを備える。また、頭髪部に着脱可能に取り付けられ、キャラクター・人物に対応した固有の外形形状を有する前髪部を備える。
【先行技術文献】
【特許文献】
【０００４】
【特許文献１】特開２００８−１１３９６２号公報
【特許文献２】実用新案登録第３１３１９４２号明細書
【特許文献３】実用新案登録第３１７３６８５号明細書
【考案の概要】
【考案が解決しようとする課題】
【０００５】
“ぬいぐるみ”とは、一般的には、型紙に合わせて裁断された布を縫合し、綿やプラスチック片、蕎麦殻などを内部に詰めたものであって、人や動物、ある特定のキャラクター等に似せて成型されたものであると認識されている。また、ぬいぐるみには、癒し効果があって、愛嬌のあるぬいぐるみは、老若男女問わず人気があり、単独での販売のほか、業務用ゲーム機器や、くじ引きなどの様々な景品としても利用されている。
【０００６】
しかしながら、従来のぬいぐるみでは、顔のみならず髪型をユーザの好みに自由に変更できるものは存在しなかった。特許文献１および特許文献２には、顔面を交換可能な立体人形が開示されているが、顔面の交換用パーツは合成樹脂で形成されており、ぬいぐるみ本来の手触りの柔らかさを表現することが容易ではない。また、特許文献３には、頭部を交換可能な人形玩具が開示されているが、顔と髪だけを交換するわけではない。
【０００７】
本考案は、このような事情に鑑みてなされたものであり、ぬいぐるみ本来の愛嬌や手触りの柔らかさを維持した状態で、顔面および髪を交換できるぬいぐるみ、顔パーツおよび髪パーツを提供することを目的とする。
【課題を解決するための手段】
【０００８】
（１）上記の目的を達成するために、本考案は、以下のような手段を講じた。すなわち、本考案のぬいぐるみは、顔を交換することができるぬいぐるみであって、布で形成された頭部、胴体部、腕部および脚部を備え、顔面の構成が不特定である素体と、布で形成され、前記素体の頭部に着脱自在に設けられた顔パーツと、前記顔パーツの頭頂部側の端部に連結された髪パーツと、を備えることを特徴とする。
【０００９】
このように、布で形成され、素体の頭部に着脱自在に設けられた顔パーツと、顔パーツの頭頂部側の端部に連結された髪パーツと、を備えるので、ユーザの好みの顔や髪を有するぬいぐるみを形成することが可能となる。
【００１０】
（２）また、本考案のぬいぐるみにおいて、前記髪パーツは、シート状に形成されており、切り取り加工が可能であることを特徴とする。
【００１１】
このように、髪パーツは、シート状に形成されており、切り取り加工が可能であるので、ユーザは、ハサミやカッターを用いて、髪パーツを好みの形状にカスタマイズすることが可能となる。これにより、ユーザの好みに応じたユニークなぬいぐるみを実現することが可能となる。
【００１２】
（３）また、本考案のぬいぐるみにおいて、前記素体の全部または一部に着用する被服をさらに備えることを特徴とする。
【００１３】
このように、素体の全部または一部に着用する被服をさらに備えるので、外観のバリエーションを豊富にし、ユーザの選択肢を増やすことが可能となる。
【００１４】
（４）また、本考案の顔パーツは、上記（１）から（３）のいずれかに記載のぬいぐるみに適用され、布製であって、素体の頭部に着脱可能であることを特徴とする。
【００１５】
この構成により、ユーザの好みの顔を有するぬいぐるみを形成することが可能となる。また、顔パーツが布で形成されているため、手触りの柔らかさを維持することが可能となる。また、版権を得たアニメーションのキャラクターや漫画に登場するキャラクター、さらにはユーザのオリジナルのイラストやデザインを施すことが容易となる。
【００１６】
（５）また、本考案の髪パーツは、上記（１）から（３）のいずれかに記載のぬいぐるみに適用され、顔パーツに連結されることを特徴とする。
【００１７】
この構成により、ユーザの好みの髪を有するぬいぐるみを形成することが可能となる。
【考案の効果】
【００１８】
本考案によれば、布で形成され、素体の頭部に着脱自在に設けられた顔パーツと、顔パーツの頭頂部側の端部に連結された髪パーツと、を備えるので、ユーザの好みの顔や髪を有するぬいぐるみを形成することが可能となる。
【図面の簡単な説明】
【００１９】
【図１Ａ】本実施形態に係るぬいぐるみを構成する素体を示す正面図である。
【図１Ｂ】本実施形態に係るぬいぐるみを構成する素体を示す側面図である。
【図２Ａ】顔パーツおよび髪パーツからなる交換パーツを示す図である。
【図２Ｂ】顔パーツおよび髪パーツからなる交換パーツを示す図である。
【図２Ｃ】顔パーツおよび髪パーツからなる交換パーツを示す図である。
【図２Ｄ】顔パーツおよび髪パーツからなる交換パーツを示す図である。
【図２Ｅ】顔パーツおよび髪パーツからなる交換パーツを示す図である。
【図３Ａ】交換パーツを素体１に取り付ける様子を示す図である。
【図３Ｂ】交換パーツを素体に取り付けた状態を示す図である。
【図３Ｃ】着ぐるみの外観を示す図である。
【図３Ｄ】交換パーツを取り付けた素体に、着ぐるみを装着した状態を示す図である。
【図４Ａ】交換パーツの第１の変形例を示す図である。
【図４Ｂ】交換パーツの第１の変形例を示す図である。
【図４Ｃ】第１の変形例に係る交換パーツを素体に装着した状態を示す図である。
【図５Ａ】交換パーツの第２の変形例を示す図である。
【図５Ｂ】交換パーツの第２の変形例を示す図である。
【図５Ｃ】第２の変形例に係る交換パーツを素体に装着した状態を示す図である。
【考案を実施するための形態】
【００２０】
本考案者らは、従来は、顔のみならず髪型をユーザの好みに自由に変更できるものは存在しなかったことに着目し、布で顔パーツを形成すると共に、顔パーツに連結される髪パーツを用いることによって、ユーザの好みの顔や髪に変更可能なぬいぐるみを形成できることを見出し、本考案に至った。
【００２１】
すなわち、本考案のぬいぐるみは、顔を交換することができるぬいぐるみであって、布で形成された頭部、胴体部、腕部および脚部を備え、顔面の構成が不特定である素体と、布で形成され、前記素体の頭部に着脱自在に設けられた顔パーツと、前記顔パーツの頭頂部側の端部に連結された髪パーツと、を備えることを特徴とする。
【００２２】
これにより、本考案者らは、ぬいぐるみ本来の愛嬌や手触りの柔らかさを維持した状態で、顔面および髪を交換できるぬいぐるみを実現することを可能とした。以下、本考案の実施形態について、図面を参照しながら具体的に説明する。
【００２３】
図１Ａは、本実施形態に係るぬいぐるみを構成する素体を示す正面図であり、図１Ｂは、本実施形態に係るぬいぐるみを構成する素体を示す側面図である。この素体１は、人型に形成されており、頭部２、顔部３、耳部５、胴体部７、腕部７ａおよび脚部７ｂを有する。このような素体１は、型紙に合わせて裁断された布を縫合し、例えば「綿」を内部に詰められて形成されている。顔部３は、いわゆる「のっぺらぼう」であって、顔面の構成は不特定であるが、特定の顔面を有していてもよい。また、図１Ｂに示すように、頭部２の後ろ半分を黒、黄色または茶色などの色彩を有するように着色してもよい。また、素体１の胴体部７、腕部７ａおよび脚部７ｂの色彩は、特に限定されないが、例えば、肌色を施してもよい。
【００２４】
なお、本実施形態では、素体１は、脚部７ｂを前方に投げ出した状態で、「座位」を採るように形成されているが、本考案は、これに限定されるわけではなく、「立位」や「仰臥位（または伏臥位）」を採ってもよい。
【００２５】
図２Ａから図２Ｅは、顔パーツおよび髪パーツからなる交換パーツを示す図である。顔パーツ９ａは、布で形成され、特定のキャラクター等の顔面を有している。髪パーツ９ｂは、シート状の材料、例えば、布で形成され、特定の着色が施されている。図２Ａは、交換パーツ９において、顔パーツ９ａの上に髪パーツ９ｂが載っている状態を示している。ここでは、顔パーツ９ａを点線で示すため、髪パーツ９ｂを塗りつぶしていない。図２Ｂは、交換パーツ９において、髪パーツ９ｂを顔パーツ９ａから上げた状態の側面を示している。髪パーツ９ｂは、顔パーツ９ａの頭頂部がわの端部における連結部９ｃで、顔パーツ９ａと連結している。本実施形態では、連結部９ｃにおいて、顔パーツ９ａと髪パーツ９ｂとを縫合することで両者を連結している。
【００２６】
図２Ｃは、交換パーツ９において、髪パーツ９ｂを顔パーツ９ａから上げた状態の正面を示している。ここでは、髪パーツ９ｂは未加工の状態である。図２Ｄは、ユーザの好みの型紙に乗せてカットした状態を示している。図２Ｅは、髪パーツ９ｂを顔パーツ９ａ上に載せた状態を示している。このように、交換パーツ９において、髪パーツ９ｂを加工できるように構成しているため、ユーザの好みの髪型とすることが可能となる。
【００２７】
図３Ａは、交換パーツ９を素体１に取り付ける様子を示す図である。また、図３Ｂは、交換パーツ９を素体１に取り付けた状態を示す図である。特定の顔面が描かられた顔パーツ９ａおよび特定の形状と色彩を有する髪パーツ９ｂが、素体１の顔部３に取り付けられる。ここでは、交換パーツ９と顔部３とは、ワンタッチテープやボタンなどの任意の固定手段（図示していない）を用いることが可能である。これにより、ユーザは、素体１に対して、自由に交換パーツを取り付けたり、交換したりすることが可能となる。
【００２８】
図３Ｃは、着ぐるみの外観を示す図であり、図３Ｄは、交換パーツ９を取り付けた素体１に、着ぐるみ１１を装着した状態を示す図である。本実施形態では、素体１の全部または一部に着用する被服として、「着ぐるみ１１」を適用した例を説明する。この着ぐるみ１１は、「熊」や「猫」などの動物をイメージさせる形状としてもよい。本実施形態に係る着ぐるみ１１は、ウサギをイメージさせる形状を有するものとしている。これにより、外観のバリエーションを豊富にし、ユーザの選択肢を増やすことが可能となる。なお、本発明は、着ぐるみに限定されるわけではなく、版権作品に準拠した被服やオリジナルの被服を用いることも可能である。
【００２９】
図４Ａおよび図４Ｂは、交換パーツの第１の変形例を示す図である。第１の変形例に係る交換パーツ１９は、顔パーツ１９ａの頭頂部側の端部に、髪パーツ１９ｂを着脱自在に取り付けるために、ワンタッチテープ等の着脱自在の固定手段１９ｃが設けられている。この固定手段１９ｃを示すため、図４Ａでは、髪パーツ１９ｂを塗りつぶしていない。また、ここでは、髪パーツ１９ｂは、いわゆる「ショートヘア」の形状を有している。図４Ｃは、第１の変形例に係る交換パーツ１９を素体１に装着した状態を示す。このように、髪パーツ１９ｂを顔パーツ１９ａに着脱自在に取り付けることができると共に、交換パーツ１９を素体１から自由に交換することが可能となる。
【００３０】
図５Ａおよび図５Ｂは、交換パーツの第２の変形例を示す図である。第２の変形例に係る交換パーツ２９は、顔パーツ２９ａの頭頂部側の端部に、髪パーツ２９ｂを着脱自在に取り付けるために、ワンタッチテープ等の着脱自在の固定手段２９ｃが設けられている。この固定手段２９ｃを示すため、図５Ａでは、髪パーツ２９ｂを塗りつぶしていない。また、ここでは、髪パーツ２９ｂは、いわゆる「ボブヘア」の形状を有している。図５Ｃは、第２の変形例に係る交換パーツ２９を素体１に装着した状態を示す。このように、髪パーツ２９ｂを顔パーツ２９ａに着脱自在に取り付けることができると共に、交換パーツ２９を素体１から自由に交換することが可能となる。
【００３１】
なお、顔パーツ１９ａ、２９ａおよび髪パーツ１９ｂ、２９ｂは、特定のキャラクターを現したものを用いてもよい。また、これらは、素体１とセットで販売（譲渡）の対象としてもよいし、独立して販売（バラ売り）するようにしてもよい。これにより、ユーザの選択肢の幅を拡大させることが可能となる。
【００３２】
以上説明したように、本実施形態に係るぬいぐるみによれば、布で形成され、素体１の頭部２（顔部３）に着脱自在に設けられた顔パーツ９ａ、１９ａ、２９ａと、顔パーツの頭頂部側の端部に連結された髪パーツ９ｂ、１９ｂ、２９ｂと、を備えるので、ユーザの好みの顔や髪を有するぬいぐるみを形成することが可能となる。
【符号の説明】
【００３３】
１  素体
２  頭部
３  顔部
５  耳部
７  胴体部
７ａ  腕部
７ｂ  脚部
９、１９、２９  交換パーツ
９ａ、１９ａ、２９ａ  顔パーツ
９ｂ、１９ｂ、２９ｂ  髪パーツ
９ｃ  連結部
１１  着ぐるみ
１９ｃ、２９ｃ  固定手段
【図１Ａ】
0003218306.tif 000003
【図１Ｂ】
0003218306.tif 000004
【図２Ａ】
0003218306.tif 000005
【図２Ｂ】
0003218306.tif 000006
【図２Ｃ】
0003218306.tif 000007
【図２Ｄ】
0003218306.tif 000008
【図２Ｅ】
0003218306.tif 000009
【図３Ａ】
0003218306.tif 000010
【図３Ｂ】
0003218306.tif 000011
【図３Ｃ】
0003218306.tif 000012
【図３Ｄ】
0003218306.tif 000013
【図４Ａ】
0003218306.tif 000014
【図４Ｂ】
0003218306.tif 000015
【図４Ｃ】
0003218306.tif 000016
【図５Ａ】
0003218306.tif 000017
【図５Ｂ】
0003218306.tif 000018
【図５Ｃ】
0003218306.tif 000019